【手続補正書】
【提出日】平成21年1月23日(2009.1.23)
【手続補正１】
【補正対象書類名】特許請求の範囲
【補正対象項目名】全文
【補正方法】変更
【補正の内容】
【特許請求の範囲】
【請求項１】
消費に適した飲料を調製するアセンブリであって、使用中に該アセンブリに水等の液体を供給する供給側と、使用中に該アセンブリの消費に適した飲料を排出する排出側とを備え、第１のカバーと、該第１のカバーに含まれ、水等の前記液体に可溶又は抽出可能な粉乳／クリーマ、砂糖、及び同様の添加物等の物質を含む第１の成分とをさらに備え、前記液体に可溶又は抽出可能な挽いたコーヒー又は茶等の物質を含む第２の成分をさらに備える、消費に適した飲料を調製するアセンブリであって、前記第２の成分は、実質剛体の一部を形成することを特徴とする、消費に適した飲料を調製するアセンブリ。
【請求項２】
前記第１の成分は、前記液体に可溶な粉乳／クリーマ、砂糖、及びそのような添加物等の物質を含むことを特徴とする、請求項１に記載の消費に適した飲料を調製するアセンブリ。
【請求項３】
前記第２の成分は、挽いたコーヒー又は茶等の被抽出物質を含むことを特徴とする、請求項１又は２に記載の消費に適した飲料を調製するアセンブリ。
【請求項４】
前記第１の成分及び前記第２の成分は、互いに分離されることを特徴とする、請求項１ないし３のいずれか１項に記載の消費に適した飲料を調製するアセンブリ。
【請求項５】
前記第１の成分は、前記少なくとも１つの実質剛体から分離されることを特徴とする、請求項４に記載の消費に適した飲料を調製するアセンブリ。
【請求項６】
前記第１の成分及び前記第２の成分は、前記少なくとも１つの実質剛体の一部を形成することを特徴とする、請求項１ないし４のいずれか１項に記載の消費に適した飲料を調製するアセンブリ。
【請求項７】
前記第１の成分及び前記第２の成分は、混合形態で前記少なくとも１つの実質剛体の一部を形成することを特徴とする、請求項６に記載の消費に適した飲料を調製するアセンブリ。
【請求項８】
前記第２の成分、及び場合によっては前記第１の成分は、１つの実質剛体の一部を形成することを特徴とする、請求項１ないし７のいずれか１項に記載の消費に適した飲料を調製するアセンブリ。
【請求項９】
前記第１のカバー及び前記実質剛体は、実質的に比較的平坦であり且つ互いにほぼ平行に延びるように設計されることを特徴とする、請求項１ないし８のいずれか１項に記載の消費に適した飲料を調製するアセンブリ。
【請求項１０】
前記少なくとも１つの実質剛体は、互いに対向する第１の側から第２の側まで前記実質剛体を貫通して延びる少なくとも１つの貫流開口を備えることを特徴とする、請求項４又は５に記載の消費に適した飲料を調製するアセンブリ。
【請求項１１】
前記第１の側、前記第２の側、前記第１のカバー、及び前記実質剛体は、互いにほぼ平行に延びることを特徴とする、請求項９及び１０に記載の消費に適した飲料を調製するアセンブリ。
【請求項１２】
前記少なくとも１つの実質剛体は、前記第１の側から前記第２の側まで前記実質剛体を貫通して延びる複数の貫流開口を備えることを特徴とする、請求項１０又は１１に記載の消費に適した飲料を調製するアセンブリ。
【請求項１３】
前記少なくとも１つの貫流開口は、前記供給側から前記排出側への方向に延びることを特徴とする、請求項１０ないし１２のいずれか１項に記載の消費に適した飲料を調製するアセンブリ。
【請求項１４】
前記少なくとも１つの貫流開口は、０．０１〜３ｍｍ、好ましくは０．２〜１．４ｍｍの範囲の（水力）直径を有することを特徴とする、請求項１０ないし１３のいずれか１項に記載の消費に適した飲料を調製するアセンブリ。
【請求項１５】
前記少なくとも１つの貫流開口の全表面が、前記少なくとも１つの実質剛体のうち該少なくとも１つの貫流開口が位置する側の全表面の好ましくは０〜３０％、より好ましくは１〜５％であることを特徴とする、請求項１０ないし１４のいずれか１項に記載の消費に適した飲料を調製するアセンブリ。
【請求項１６】
前記少なくとも１つの実質剛体は、少なくとも圧縮状態の前記第２の成分によって形成されることを特徴とする、請求項１ないし１５のいずれか１項に記載の消費に適した飲料を調製するアセンブリ。
【請求項１７】
前記少なくとも１つの実質剛体は、少なくとも圧縮状態の前記第１の成分及び前記第２の成分によって形成されることを特徴とする、請求項５又は１６に記載の消費に適した飲料を調製するアセンブリ。
【請求項１８】
前記少なくとも１つの実質剛体は、前記第２の成分、及び場合によっては前記第１の成分を、非圧縮状態の体積の２０〜７０％、好ましくは４０〜６０％、特に実質的に５０％に圧縮することによって形成されることを特徴とする、請求項１６又は１７に記載の消費に適した飲料を調製するアセンブリ。
【請求項１９】
前記被抽出物質は、使用の際に、溶解によって前記アセンブリから消える前記可溶性物質の体積が該被抽出物質によって実質的に埋められるような程度まで前記液体の作用下で該被抽出物質が拡張するように、圧縮されることを特徴とする、請求項２又は３に記載の消費に適した飲料を調製するアセンブリ。
【請求項２０】
前記被抽出物質は、使用の際に、溶解によって前記アセンブリから消える前記可溶性物質の体積が前記実質剛体によって実質的に埋められるような程度まで前記液体の作用下で前記少なくとも１つの実質剛体が膨張するように、圧縮されることを特徴とする、請求項４又は１９に記載の消費に適した飲料を調製するアセンブリ。
【請求項２１】
前記少なくとも１つの実質剛体は、使用の際に、前記液体の作用下で前記少なくとも１つの貫流開口を閉じるように設計されることを特徴とする、請求項１０ないし１５のいずれか１項に記載の消費に適した飲料を調製するアセンブリ。
【請求項２２】
少なくとも前記被抽出物質が圧縮されていて、前記少なくとも１つの貫流開口の寸法は、使用の際に、前記液体の作用下で前記少なくとも１つの貫流開口がほぼ閉じるような程度まで前記少なくとも１つの実質剛体が膨張及び／又は崩壊するような寸法であることを特徴とする、請求項３及び２１に記載の消費に適した飲料を調製するアセンブリ。
【請求項２３】
前記供給側から前記排出側への方向で見ると、前記第２の成分は、前記第１の成分に対して上流に位置付けられることを特徴とする、請求項４又は５に記載の消費に適した飲料を調製するアセンブリ。
【請求項２４】
前記供給側から前記排出側への方向で見ると、前記第１の成分は、前記第２の成分に対して上流に位置付けられることを特徴とする、請求項４又は５に記載の消費に適した飲料を調製するアセンブリ。
【請求項２５】
前記供給側から前記排出側への方向で見ると、前記第１の成分及び／又は前記第２の成分は、前記第２の成分及び／又は前記第１の成分の上流及び下流の両方にそれぞれ位置付けられることを特徴とする、請求項２３又は２４に記載の消費に適した飲料を調製するアセンブリ。
【請求項２６】
前記第１の成分は、前記第２の成分とほぼ平行に延びることを特徴とする、請求項４又は５に記載の消費に適した飲料を調製するアセンブリ。
【請求項２７】
平坦な形状を有し、実質的に平面上に延び、該平面の方向の寸法が該平面に垂直な方向の寸法よりも大きいことを特徴とする、請求項１ないし２６のいずれか１項に記載の消費に適した飲料を調製するアセンブリ。
【請求項２８】
前記アセンブリがディスク形の設計であることを特徴とする、請求項１ないし２７のいずれか１項に記載の消費に適した飲料を調製するアセンブリ。
【請求項２９】
前記第２の成分は、前記第１の成分が延びる幅に少なくとも対応する幅にわたって前記アセンブリの縦横方向（cross direction）に延びることを特徴とする、請求項１ないし２８のいずれか１項に記載の消費に適した飲料を調製するアセンブリ。
【請求項３０】
前記被抽出物質が延びる幅は、前記可溶性物質が延びる幅よりも大きいことを特徴とする、請求項２、３、及び２９のいずれか１項に記載の消費に適した飲料を調製するアセンブリ。
【請求項３１】
前記少なくとも１つの実質剛体は、平坦な形状を有し、実質的に平面上に延びることを特徴とする、請求項１ないし３０のいずれか１項に記載の消費に適した飲料を調製するアセンブリ。
【請求項３２】
前記剛体は、前記平面の方向での前記剛体の断面の１０ｃｍ２当たり１〜４個の貫通開口を備えることを特徴とする、請求項１２及び３１に記載の消費に適した飲料を調製するアセンブリ。
【請求項３３】
前記平面の方向での前記剛体の断面は、７５〜１８０００ｍｍ２に等しく、より好ましくは１２００ｍｍ２〜５０００ｍｍ２に等しいことを特徴とする、請求項３１又は３２に記載の消費に適した飲料を調製するアセンブリ。
【請求項３４】
前記剛体は、丸形ディスクの形状を有することを特徴とする、請求項３１ないし３３のいずれか１項に記載の消費に適した飲料を調製するアセンブリ。
【請求項３５】
前記第２の成分は、前記第１のカバーに含まれることを特徴とする、請求項１ないし３４のいずれか１項に記載の消費に適した飲料を調製するアセンブリ。
【請求項３６】
前記第２の成分は、前記第２のカバーに含まれることを特徴とする、請求項１ないし３５のいずれか１項に記載の消費に適した飲料を調製するアセンブリ。
【請求項３７】
前記第１のカバー及び前記第２のカバーは、第３のカバーに含まれることを特徴とする、請求項３６に記載の消費に適した飲料を調製するアセンブリ。
【請求項３８】
前記第１のカバー及び前記第２のカバーは、相互接続されることを特徴とする、請求項３６又は３７に記載の消費に適した飲料を調製するアセンブリ。
【請求項３９】
前記第１のカバーは、シート状フィルタ材料、例えばろ紙から少なくとも実質的に作製されることを特徴とする、請求項３５に記載の消費に適した飲料を調製するアセンブリ。
【請求項４０】
前記第２のカバーは、シート状フィルタ材料、例えばろ紙から少なくとも実質的に作製されることを特徴とする、請求項３６に記載の消費に適した飲料を調製するアセンブリ。
【請求項４１】
前記第３のカバーは、シート状フィルタ材料、例えばろ紙から少なくとも実質的に作製されることを特徴とする、請求項３７に記載の消費に適した飲料を調製するアセンブリ。
【請求項４２】
前記第１のカバー、前記第２のカバー、及び／又は前記第３のカバーは、引き離すことができるように配置される液密シートから少なくとも部分的に作製されるか、又は水若しくはコーヒー抽出液等の液体を通過させるフィルタ材料から少なくとも部分的に作製されることを特徴とする、請求項３５ないし４１のいずれか１項に記載の消費に適した飲料を調製するアセンブリ。
【請求項４３】
前記少なくとも１つの実質剛体が割れるのを実質的に防止する補強体を備えることを特徴とする、請求項１ないし４２のいずれか１項に記載の消費に適した飲料を調製するアセンブリ。
【請求項４４】
前記補強体は、プラスチック等のプラスチック、金属、厚紙、ゴム、及び／又は微生物分解可能な材料から作製されることを特徴とする、請求項４３に記載の消費に適した飲料を調製するアセンブリ。
【請求項４５】
前記第１の成分及び／又は前記第２の成分は、前記液体に溶解した後で泡を形成する物質を含むことを特徴とする、請求項１ないし４４のいずれか１項に記載の消費に適した飲料を調製するアセンブリ。
【請求項４６】
請求項１ないし４５のいずれか１項に記載の消費に適した飲料を調製するアセンブリで用いるように設計される剛体。
【請求項４７】
請求項４６に記載の剛体と、該剛体が含まれるろ紙等のシート状フィルタ材料から作製されるカバーとを備える、パッド。
【請求項４８】
前記少なくとも１つの実質剛体が割れるのを実質的に防止する補強体を備えることを特徴とする、請求項４７に記載のパッド。
【請求項４９】
前記補強体は、プラスチック等のプラスチック、金属、厚紙、ゴム、及び／又は微生物分解可能な材料から作製されることを特徴とする、請求項４８に記載のパッド。
【請求項５０】
請求項１ないし４５のいずれか１項に記載の消費に適した飲料を調製する方法であって、水等の液体用の流入開口及び飲料用の流出開口を備えるホルダ内に前記アセンブリを設置し、高温水等の液体が加圧状態で前記ホルダの流入開口に、特に該ホルダの上側から供給されるため、飲料を得るために前記水が前記供給側から前記アセンブリを通って流れ、それから前記飲料が前記排出側を経て前記アセンブリから出た後で、前記ホルダの少なくとも１つの排出開口を経て配量される、消費に適した飲料を調製する方法。
【請求項５１】
請求項２、３、１０、及び２３に記載の消費に適した飲料を調製するアセンブリが利用され、前記液体は、最初に少なくとも１つの貫流開口を通って可溶性物質に流れ、それにより、該可溶性物質の少なくとも一部が溶解して前記流出開口を経て前記ホルダから出てから前記少なくとも１つの貫流開口が閉じられるため、続いて前記水が剛体に実質的に押し通されることにより、被抽出物質が抽出され、それから、前記可溶性物質の一部が場合によっては溶解しているこうして得られた飲料が、前記流出開口を経て前記ホルダから出ることを特徴とする、請求項５０に記載の消費に適した飲料を調製する方法。
【請求項５２】
前記少なくとも１つの貫流開口は、前記液体の作用下で前記剛体が膨張及び／又は溶解することで閉じられることを特徴とする、請求項５１に記載の消費に適した飲料を調製する方法。
【請求項５３】
前記少なくとも１つの実質剛体は、使用の際に、溶解によって前記アセンブリから消える前記可溶性物質の体積が前記被抽出物質によって実質的に埋められるような程度まで前記液体の作用下で前記少なくとも１つの実質剛体が膨張するように、圧縮されることを特徴とする、請求項５０ないし５２のいずれか１項に記載の消費に適した飲料を調製する方法。